(57)【要約】【課題】  本考案は、着脱眼鏡を主眼鏡に磁石を介して着脱できる眼鏡セットに於いて、眼鏡としての装飾性を損ねることがなく、又、使用中に不用意に外れ難く工夫することを目的とする。【解決手段】  テンプル２６を有するフレーム２１に第１磁着手段５が設けられている主眼鏡２と、テンプルを有しないフレーム３１に第２磁着手段６が設けられている着脱眼鏡３とを備え、着脱眼鏡３のフレーム３１の後面を主眼鏡２のフレーム２１の前面に重ね合わせ、第１及び第２磁着手段５，６を介して磁着することにより、着脱眼鏡３が主眼鏡２に取付けられ、第１磁着手段５は、主眼鏡２のフレーム２１の両端部及びブリッジ両端部に於いて、主眼鏡２のフレーム２１の前面から露出しないようにそれぞれ設けられており、第２磁着手段６は、主眼鏡２の第１磁着手段５の対応位置に於いて、着脱眼鏡３のフレーム３１の前面から露出しないようにそれぞれ設けられている。【選択図】      図１
0003103865.tif 000002
【実用新案登録請求の範囲】
【請求項１】
テンプルを有するフレームに第１磁着手段が設けられている主眼鏡と、テンプルを有しないフレームに第２磁着手段が設けられている着脱眼鏡とを備え、前記着脱眼鏡のフレームの後面を主眼鏡のフレームの前面に重ね合わせ、第１及び第２磁着手段を介して磁着することにより、前記着脱眼鏡が主眼鏡に取付けられる眼鏡セットであって、
前記第１磁着手段が、主眼鏡のフレームの両端部及びブリッジ両端部に於いて、前記主眼鏡のフレームの前面から露出しないようにそれぞれ設けられており、
前記第２磁着手段が、前記主眼鏡の第１磁着手段の対応位置に於いて、着脱眼鏡のフレームの前面から露出しないようにそれぞれ設けられていることを特徴とする眼鏡セット。
【請求項２】
前記各第１磁着手段及び第２磁着手段が、フレームの上方部に左右方向に並んで設けられている請求項１記載の眼鏡セット。
【請求項３】
前記第２磁着手段は、その端面が着脱眼鏡の後面から突出してなる請求項１又は２記載の眼鏡セット。
【請求項４】
前記第１及び第２磁着手段が互いに磁着しうる磁石からなる請求項１〜３記載の眼鏡セット。
【考案の詳細な説明】
【技術分野】
【０００１】
本考案は、主眼鏡に着脱眼鏡を磁力を介して簡易に取り付けることができる眼鏡セットに関する。
【背景技術】
【０００２】
従来、この種の眼鏡セットとしては、例えば特許第２６２８５６９号公報記載の着脱式サングラスが知られている。
具体的に該公報には、度付きレンズがフレームに保持された眼鏡と、色付きレンズがつる無しフレームに保持されたサングラスと、を備え、眼鏡のフレームの前面側両端のそれぞれに、該フレーム無いに一体に設けた小さい端面の第１磁着手段が計２箇所設けられ、他方、サングラスのフレームの対応部分にも同様に第２磁着手段が計２箇所設けられた構成からなる眼鏡セットが開示されており、かかる眼鏡セットは、第１及び第２磁着手段を介してフレーム同士を互いに磁着させることにより、サングラスを眼鏡に着脱可能に取り付けることができるものである。
【０００３】
しかしながら、上記公報の眼鏡セットは、同公報の図３に示すように、フレームの前面から磁石が見えるので、不格好な外観となり、ファッション感覚で使用される昨今の眼鏡に於いては商品価値を有しない。
さらに、第１及び第２磁着手段は、フレームの両端部にのみ（計２箇所）設けられているに過ぎないので、例えば、着脱眼鏡のフレームに、不用意に手などが触れると簡単に外れてしまうことから、使用の便が非常に悪いという問題点がある。
【０００４】
【特許文献１】特許第２６２８５６９号公報の［特許請求の範囲］、［０００６］〜［０００８］、及び図３など
【考案の開示】
【考案が解決しようとする課題】
【０００５】
そこで、本考案は、眼鏡の装飾性を損ねることがなく、又、使用中に不用意に外れ難い眼鏡セットを提供することを課題とするものである。
【課題を解決するための手段】
【０００６】
上記課題を解決するため、請求項１記載の手段は、テンプルを有するフレームに第１磁着手段が設けられている主眼鏡と、テンプルを有しないフレームに第２磁着手段が設けられている着脱眼鏡とを備え、着脱眼鏡のフレームの後面を主眼鏡のフレームの前面に重ね合わせ、第１及び第２磁着手段を介して磁着することにより、着脱眼鏡が主眼鏡に取付けられる眼鏡セットであって、第１磁着手段は、主眼鏡のフレームの両端部及びブリッジ両端部に於いて、主眼鏡のフレームの前面から露出しないようにそれぞれ設けられており、第２磁着手段は、主眼鏡の第１磁着手段の対応位置に於いて、着脱眼鏡のフレームの前面から露出しないようにそれぞれ設けられていることを特徴とする。
【０００７】
上記眼鏡セットは、第１及び第２磁着手段を介して、主眼鏡に着脱眼鏡を付けたり外したりすることができる。この各磁着手段は、主眼鏡及び着脱眼鏡のフレームの両端部及びブリッジ両端部の計４箇所にそれぞれ設けられているので、使用中に手などが触れても取り付けられた着脱眼鏡が不用意に外れる虞がない。
また、各磁着手段は、主眼鏡及び着脱眼鏡の前面から露出しないように設けられているので、外部から磁着手段が見えず、従って、ファッションアイテムである眼鏡の商品的価値が損われることがない。
【０００８】
さらに、請求項２記載の手段は、第１及び第２磁着手段が、フレームの上方部に左右方向に並んで設けられている上記眼鏡セットであり、かかる眼鏡セットによれば、各磁着手段がフレームの上方部に並んで設けられているため、着脱眼鏡の下方部は磁着していない自由端となるから、着脱眼鏡の下方部を捲り上げれば、着脱眼鏡を主眼鏡から簡単に取り外すことができる。
【０００９】
さらに、請求項３記載の手段は、上記第２磁着手段の端面が着脱眼鏡の後面から突出してなる上記眼鏡セットであり、かかる眼鏡セットによれば、着脱眼鏡のフレームと主眼鏡のフレームの間に隙間が生じても、第２磁石部の端面が主眼鏡のフレーム対応面に確実に当たるため、磁着力が弱められることなく、着脱眼鏡を主眼鏡に十分に磁着させることができるので好ましい。
【００１０】
また、請求項４記載の手段は、上記第１及び第２磁着手段が互いに磁着しうる磁石からなる上記眼鏡セットであり、かかる眼鏡セットによれば、着脱眼鏡が主眼鏡に強く磁着するので好ましい。
【考案の効果】
【００１１】
本考案は、眼鏡としての装飾性を損ねず、又、使用中に着脱眼鏡が不用意に外れ難い眼鏡セットを提供できる。また、取り付けられた着脱眼鏡は、その下方部から捲り上げるようにすれば簡単に主眼鏡から取り外すことができる。
【考案を実施するための最良の形態】
【００１２】
以下、本考案を図面を参照しつつ説明する。
図１は、本考案の眼鏡セットの上面図、図２は、主眼鏡から着脱眼鏡を取り外した状態の上面図を示す。図３（ａ）は、主眼鏡の正面図（但しテンプルを省略している）、同（ｂ）は、同背面図、（ｃ）は、Ａ−Ａ線断面図を示す。図４（ａ）は、着脱眼鏡の正面図、同（ｂ）は、同背面図、（ｃ）は、Ｂ−Ｂ線断面図を示す。
図１及び図２に於いて、１は、第１磁着手段を備える主眼鏡２と、この主眼鏡２に第２磁着手段を介して着脱可能に取り付けられる着脱眼鏡３を備える眼鏡セットを示す。
主眼鏡２の基本構造は、図３にも示すように、フレーム２１に保持された左右一組のレンズ２２と、中央部にブリッジ部２３が形成され、且つ鼻パッド部２４が設けられたフレーム２１と、このフレーム２１の両端部に設けられたヨロイ２５と、このヨロイ２５に丁番を介して回動自在に連結されたテンプル２６と、を備えた構成からなる。着脱眼鏡３の基本構造は、図４にも示すように、フレーム３１に保持された左右一組のレンズ３２と、中央部にブリッジ部３３が形成されたフレーム３１とを備えている。この着脱眼鏡３のフレーム３１を主眼鏡２のフレーム２１の前面２１ａに重ね合わせることができるように、着脱眼鏡３のフレーム３１の後面３１ｂは、主眼鏡２のフレーム２１の前面２１ａの形状に略一致するように形成されている。
【００１３】
主眼鏡２及び着脱眼鏡３のフレーム２１，３１の形態は、特に限定されず、レンズの全周を保持できるリム付きタイプやレンズの上方縁部を保持する上方支持タイプなど公知の形態のものを用いることができる。尚、本実施形態では、主眼鏡２は、図３に示すように上方支持タイプのフレーム２１を、着脱眼鏡３はリム付きタイプのフレーム３１をそれぞれ例示している。
また、両眼鏡２，３のフレーム２１，３１は、金属製、プラスチック製、これらの複合品など何れでも良いが、比較的厚肉に形成できることからプラスチック製のものが好ましい。
【００１４】
第１磁着手段は、主眼鏡２のフレーム２１の両端部及びブリッジ両端部の計４箇所の位置にそれぞれ設けられた比較的小さな磁石片（以下、第１磁石部５という）からなる。この第１磁石部５は、図３に示すように、フレーム２１の両端部後面及びブリッジ両端部後面にそれぞれ形成された凹部２７に、接着剤又は強嵌合などで埋め込み固定されており、従って、第１磁石部５は、主眼鏡２のフレーム２１の前面２１ａから露出していない。さらに、第１磁石部５は、フレーム２１の上方部に幅方向に略直線状に並んで設けられている。
第１磁石部５の形状は、特に限定されず、三角柱状、四角柱状などの各種の形状のものを用いることができ、中でも略柱状のものを用いることが好ましい。尚、本実施形態では、円柱状に形成された磁石片が用いられている。
第１磁石部５の前端面５ａの大きさは、特に限定されないが、余りに狭いと重ねられる着脱眼鏡３を十分な力で磁着できないことから、３〜７ｍｍ２程度が好ましい。
また、第１磁石部５の前端面５ａとフレーム２１の前面２１ａとの間隔（第１磁石部５の前端面５ａに対応するフレーム厚Ｗ１）は、概ね０．５〜２ｍｍ以内が好ましく、概ね０．５〜１ｍｍがより好ましい。この部分のフレーム厚Ｗ１が、０．５ｍｍ未満であると、当該部分が破損したりする虞があり、この２ｍｍを越えると、磁力が弱くなって重ねられる着脱眼鏡３を十分に磁着できない虞があるからである。
第１磁石部５を構成する磁石の種類としては、特に限定されないが、永久磁石の中でも磁力が強いネオジウム系磁石やコストパフォーマンスに優れたフェライト磁石を用いることが好ましい。
【００１５】
一方、第２磁着手段は、主眼鏡２のフレーム２１の対応位置にそれぞれ設けられている。詳述すると、第２磁着手段は、着脱眼鏡３のフレーム３１の両端部及びブリッジ両端部の計４箇所の位置にそれぞれ設けられた比較的小さな磁石片（以下、第２磁石部６という）からなる。この第２磁石部６は、図４に示すように、フレーム３１の両端部後面及びブリッジ両端部後面にそれぞれ形成された凹部３７に、接着剤又は強嵌合などで埋め込み固定されており、従って、第２磁石部６は、着脱眼鏡３のフレーム３１の前面３１ａから露出していない。さらに、第２磁石部６は、フレーム３１の上方部に幅方向に略直線状に並んで設けられている。
第２磁石部６の形状は、特に限定されず、三角柱状、四角柱状などの各種の形状のものを用いることができるが、第１磁石部５と同形状のものを用いることが好ましい。
第２磁石部６の後端面６ｂの大きさは、余りに狭いと主眼鏡２と十分に磁着できないことから、第１磁石部５の前端面５ａと同程度の面積が好ましい。
さらに、第２磁石部６は、その後端面６ｂがフレーム３１の後面３１ｂから僅かに突出して設けられている。このように第２磁石部６を突設させることにより、重ねられた両眼鏡２，３のフレーム２１，３１間に隙間が生じても、第２磁石部６の後端面６ｂが、第１磁石部５が埋設されたフレーム対応面に確実に当たり、着脱眼鏡３を主眼鏡２に十分に磁着させることができる。かかる後端面６ｂの突出高さは、適宜設定すればよいが、好ましくは０．２〜０．４ｍｍ程度である。余りに高いと、重ねられた両眼鏡２，３のフレーム２１，３１の間に隙間が開き過ぎ、一方、余りに低いと、後端面６ｂを突出させた意義がなくなるからである。
また、第２磁石部６の前端面６ａとフレーム３１の前面３１ａとの間隔（第２磁石部６の前端面６ａに対応するフレーム厚Ｗ２）は、概ね０．５〜２ｍｍ以内が好ましく、概ね０．５〜１ｍｍがより好ましい。この部分のフレーム厚Ｗ２が、０．５ｍｍ未満であると、当該部分が破損したりする虞があり、この２ｍｍを越えると、磁力が弱くなり、重畳的に重ねられる複数の着脱眼鏡３を十分に磁着できない虞があるからである。
第２磁石部６を構成する磁石の種類としては、第１磁石部５と同じものを用いることが好ましい。
【００１６】
上記眼鏡セット１は、主眼鏡２に着脱眼鏡３を重ねると第１及び第２磁着手段によって、両眼鏡２，３を一体化することができる。従って、例えば色レンズを備える着脱眼鏡３を多種類準備しておけば、使用者の好みにより、主眼鏡２を所望色のサングラスに変えることができるなど、様々な形態で使用できる。
また、特に図示しないが、主眼鏡２に一の着脱眼鏡３を取付け、更に、この一の着脱眼鏡３の前面に他の着脱眼鏡３を重ね合わせることにより、複数の着脱眼鏡３を重畳的に取り付けることも可能である。
【００１７】
本考案に係る眼鏡セット１は、各磁着手段が、主眼鏡２及び着脱眼鏡３の前面側から露出しないように設けられているので、外部から磁着手段が見えず、従って、ファッションアイテムである眼鏡の商品的価値を損ねることがない。
また、主眼鏡２及び着脱眼鏡３のフレーム２１，３１の両端部及びブリッジ両端部の計４箇所にそれぞれ磁着手段が設けられており、更に、第１及び第２磁着手段が何れも磁石からなるので、着脱眼鏡３が強く主眼鏡２に磁着する。従って、使用中に手などが触れても着脱眼鏡３は不用意に外れる虞がない。
また、上記のように着脱眼鏡３は強く磁着しているが、磁着手段は、フレーム２１，３１の上方部に左右方向に並んで設けられているため、着脱眼鏡３の下方部は自由端となり、従って、図５に示すように、着脱眼鏡３の下方部を捲り上げれば、着脱眼鏡３を主眼鏡２から簡単に取り外すことができる。
【００１８】
尚、上記実施形態では、主眼鏡２の第１磁石部５の後端面がフレーム２１の後面から露出しているが、例えば、主眼鏡２のフレーム２１内部に埋没させるように第１磁石部を設けることも可能である。
また、上記実施形態では、第１及び第２磁着手段は何れも磁石からなるため着脱眼鏡３を強く磁着させることができるので好ましいが、例えば、第１磁着手段又は第２磁着手段の何れか一方を磁性金属などの磁性体で構成し、他方を磁石で構成することも可能である。
【図面の簡単な説明】
【００１９】
【図１】本考案の眼鏡セットの一実施形態を示す上面図。
【図２】同眼鏡セットの着脱眼鏡を主眼鏡から取り外した状態を示す上面図。
【図３】主眼鏡の詳細図で、（ａ）は、主眼鏡を前面側から見た図、（ｂ）は、同後面側から見た図、（ｃ）は、（ｂ）のＡ−Ａ線一部省略断面図。
【図４】着脱眼鏡の詳細図で、（ａ）は、着脱眼鏡を前面側から見た図、（ｂ）は、同後面側から見た図、（ｃ）は、（ｂ）のＢ−Ｂ線一部省略断面図。
【図５】眼鏡セットの使用状態を示す側面図。
【符号の説明】
【００２０】
１…眼鏡セット、２…主眼鏡、２１…主眼鏡のフレーム、２１ａ…主眼鏡のフレームの前面、２２…主眼鏡のレンズ、２３…主眼鏡のフレームのブリッジ部、２４…主眼鏡の鼻パッド部、２５…主眼鏡のヨロイ、２６…主眼鏡のテンプル、２７…主眼鏡のフレームの凹部、３…着脱眼鏡、３１…着脱眼鏡のフレーム、３１ａ着脱眼鏡のフレームの前面、３１ｂ…着脱眼鏡のフレームの後面、３２…着脱眼鏡のレンズ、３３…着脱眼鏡のフレームのブリッジ部、３７…着脱眼鏡のフレームの凹部、５…第１磁石部（第１磁着手段）、５ａ…第１磁石部の前端面、６…第２磁石部（第２磁着手段）、６ａ…第２磁石部の前端面、６ｂ…第２磁石部の後端面
【図１】
0003103865.tif 000003
【図２】
0003103865.tif 000004
【図３】
0003103865.tif 000005
【図４】
0003103865.tif 000006
【図５】
0003103865.tif 000007